(57)【要約】【課題】マッサージ装置において、軽量コンパクトであり、且つ価格も低廉でありながら、肩を前後から挟みつけて揉むといったマッサージを受けられるようにする。【解決手段】仰向けになる使用者の肩をマッサージ可能になされた据え置き型のマッサージ装置であって、左側の肩を前後一対の揉み手２０，２１で挟み込む左肩用揉み手段１０と、右側の肩を前後一対の揉み手２０，２１で挟み込む右肩用揉み手段１１と、これら左右の揉み手段１０，１１における前後一対の揉み手２０，２１に対して前後への近接離反を繰り返させるマッサージ機構１２とを有している。【選択図】図１
2005046541.tif 000002
【特許請求の範囲】
【請求項１】
仰向けになる使用者の肩をマッサージ可能になされた据え置き型のマッサージ装置であって、
肩を挟み込んでマッサージを施すべく前後に配置された前部揉み手（２０）及び後部揉み手（２１）を有する揉み手段（１０）（１１）が左右一対に設けられ、
前記前部及び後部揉み手（２０）（２１）を互いに近接離反を繰り返させるマッサージ機構（１２）が備えられていることを特徴とするマッサージ装置。
【請求項２】
前記左右一対の揉み手段（１０）（１１）の間には、使用者の頭部を支持可能な載置台（１３）が設けられていることを特徴とする請求項１記載のマッサージ装置。
【請求項３】
前記マッサージ機構（１２）には、前部揉み手段（２０）の左右方向の間隔及び／又は後部揉み手段（２１）の左右方向の間隔を可変にする幅調節手段（４０）が設けられていることを特徴とする請求項１又は請求項２記載のマッサージ装置。
【請求項４】
前記左右一対に設けられた揉み手段（１０）（１１）は、左肩用揉み手段（１０）と、右肩用揉み手段（１１）とであって、
前記マッサージ機構（１２）は、左肩用揉み手段（１０）を駆動する左肩駆動部（３５）と右肩用揉み手段（１１）を駆動する右肩駆動部（３６）とこれら左肩及び右肩肩駆動部（３５）（３６）に対して回転駆動力を伝えるモータ（３７）とを有し、
前記左肩及び右肩駆動部（３５）（３６）は、軸心を上下方向へ向けて回転自在に保持され且つ前記モータ（３７）によって回転駆動される駆動軸（４５）と、
この駆動軸（４５）の両端部に一体回転可能に設けられた回転体（４６）（４６）と、
この回転体（４６）まわりに駆動軸（４５）の軸心に傾斜した状態で相対回転自在に設けられ且つ径外方向に前記前部揉み手（２０）及び後部揉み手（２１）が突設されている傾斜ボス（３０）と、
この傾斜ボス（３０）上で、前部揉み手（２０）や後部揉み手（２１）の突出方向とは反対向きに突出するように設けられた回り止め突起（４７）と、
この回り止め突起（４７）を嵌め入れて上記駆動軸（４５）芯に沿った方向で所定ストロークの往復動を案内する摺動溝（５３）が設けられた回り止め部材（４８）と、を有しており、
前記幅調節手段（４０）は、前記左右一対に設けられている回り止め部材（４８）（４８）を左右方向に近接離反移動可能とするネジ軸（６１）と、このネジ軸（６１）を回転させる操作ツマミ（６３）とを有していることを特徴とする請求項３記載のマッサージ装置。
【請求項５】
後部揉み手（２１）には、使用者の肩部に対面する側に半球形状の後部押圧体（２４）が設けられていることを特徴とする請求項１乃至請求項４のいずれかに記載のマッサージ装置。
【請求項６】
後部揉み手（２１）には、この後部揉み手（２１）が荷重を受けて所定の沈み込みを生じた段階で前部揉み手（２０）へ向けた付勢力を加勢するバックアップ材（２５）が設けられていることを特徴とする請求項１乃至請求項５のいずれかに記載のマッサージ装置。
【請求項７】
前部揉み手（２０）は、弾性ネック部（２９）を介して前部押圧体（２８）が支持され、この前部押圧体（２８）が球体形状に形成されていることを特徴とする請求項１乃至請求項６のいずれかに記載のマッサージ装置。
【発明の詳細な説明】
【技術分野】
【０００１】
本発明は、肩を前後から挟みつけて揉むといったマッサージを受けることのできる据え置き型のマッサージ装置に関するものである。
【背景技術】
【０００２】
本出願人は、使用者が仰向けに寝ころんだ状態で首部を左右から挟みつけ、揉むといったマッサージを受けることのできる据え置き型のマッサージ装置を開発し、特許出願している（特許文献１参照）。
このマッサージ装置を使うと、使用者が寝ころんだ姿勢を保ちつつ首や肩を指圧することが可能であるため、非常にマッサージ効果の高いものとなっている。
【特許文献１】特開２００２−２４８１４２号公報  （図１，図２）
【発明の開示】
【発明が解決しようとする課題】
【０００３】
しかしながら、肩部のこりを効果的にほぐすためには、患部（肩部）を前後から挟み込むようにマッサージすることが効果的であることは、経験上明らかであるものの、特許文献１に開示された技術では、そのようなマッサージを行うことは困難であった。
本発明は、上記事情に鑑みてなされたものであって、軽量コンパクトであり、且つ価格も低廉でありながら、肩を前後から挟みつけて揉むといったマッサージを受けられるようにしたマッサージ装置を提供することを目的とする。また本発明は、このマッサージ装置において、左右の両肩を同時にマッサージできること、マッサージ装置に対する使用者の肩の簡単且つ的確な位置付けが実現できること、などを可能にしたマッサージ装置を提供することを目的とする。
【課題を解決するための手段】
【０００４】
前記目的を達成するために、本発明は次の手段を講じた。
すなわち、本発明における課題解決のための技術的手段は、仰向けになる使用者の肩をマッサージ可能になされた据え置き型のマッサージ装置であって、肩を挟み込んでマッサージを施すべく前後に配置された前部揉み手及び後部揉み手を有する揉み手段が左右一対に設けられ、前記前部及び後部揉み手を互いに近接離反を繰り返させるマッサージ機構が備えられていることを特徴とする。
この技術的手段によれば、左右の肩をそれぞれ前後から挟みつけて揉むといったマッサージが可能となる。
【０００５】
また、本発明における課題解決のための技術的手段は、前記左右一対の揉み手段の間には、使用者の頭部を支持可能な載置台が設けられていることを特徴とする。
この技術的手段によれば、載置台に頭部を載置することで、使用者は楽な姿勢でマッサージを受けることが可能となる。
また、本発明における課題解決のための技術的手段は、前記マッサージ機構には、前部揉み手段の左右方向の間隔及び／又は後部揉み手段の左右方向の間隔を可変にする幅調節手段が設けられていることを特徴とする。
【０００６】
この技術的手段によれば、使用者の肩幅の違いや、揉み位置の選択などに対して柔軟に対応できることになる。
また、本発明における課題解決のための技術的手段は、前記左右一対に設けられた揉み手段は、左肩用揉み手段と、右肩用揉み手段とであって、前記マッサージ機構は、左肩用揉み手段を駆動する左肩駆動部と右肩用揉み手段を駆動する右肩駆動部とこれら左肩及び右肩肩駆動部に対して回転駆動力を伝えるモータとを有し、前記左肩及び右肩駆動部は、軸心を上下方向へ向けて回転自在に保持され且つ前記モータによって回転駆動される駆動軸と、この駆動軸の両端部に一体回転可能に設けられた回転体と、この回転体まわりに駆動軸の軸心に傾斜した状態で相対回転自在に設けられ且つ径外方向に前記前部揉み手及び後部揉み手が突設されている傾斜ボスと、この傾斜ボス上で、前部揉み手や後部揉み手の突出方向とは反対向きに突出するように設けられた回り止め突起と、この回り止め突起を嵌め入れて上記駆動軸芯に沿った方向で所定ストロークの往復動を案内する摺動溝が設けられた回り止め部材と、を有しており、前記幅調節手段は、前記左右一対に設けられている回り止め部材を左右方向に近接離反移動可能とするネジ軸と、このネジ軸を回転させる操作ツマミとを有していることを特徴とする。
【０００７】
この技術的手段によれば、駆動軸の回転と共に回転体が一体回転する。このとき傾斜ボスにも回転力が付与されるが、傾斜ボスは回り止め突起が回り止め部材の摺動溝内に嵌め入れられていることから実際には回転ではなく、摺動溝内を回り止め部材が往復動することに伴う、うねり動作が起こるようになる。従って、この傾斜ボスに傾斜状態で設けられる前部揉み手や後部揉み手が、共にうねり動作を起こすようになる。これによって前部揉み手と後部揉み手とは、互いに近接離反を繰り返す揉み動作を起こすことができるようになる。
【０００８】
また、本発明における課題解決のための技術的手段は、後部揉み手には、使用者の肩部に対面する側に半球形状の後部押圧体が設けられていることを特徴とする。
この技術的手段によれば、半球形状の後部押圧体により、肩をその後側（背側）から指圧することになるので、効果的なマッサージが可能となる。
また、本発明における課題解決のための技術的手段は、後部揉み手には、この後部揉み手が荷重を受けて所定の沈み込みを生じた段階で前部揉み手へ向けた付勢力を加勢するバックアップ材が設けられていることを特徴とする。
【０００９】
また、本発明における課題解決のための技術的手段は、前部揉み手は、弾性ネック部を介して前部押圧体が支持され、この前部押圧体が球体形状に形成されていることを特徴とする。
この技術的手段によれば、肩から首筋へわたる当接が違和感のないものとなる。
【発明の効果】
【００１０】
本発明に係るマッサージ装置では、軽量コンパクトであり、且つ価格も低廉でありながら、肩を前後から挟みつけて揉むといったマッサージを受けることができる。またこのマッサージ装置では、左右の両肩を同時にマッサージでき、マッサージ装置に対する使用者の肩の簡単且つ的確な位置付けができる。
【発明を実施するための最良の形態】
【００１１】
以下、本発明の実施の形態を、図面に基づき説明する。
図１は、本発明に係るマッサージ装置１の一実施形態についてその使用状況を示している。このマッサージ装置１は、据え置き状態で使用することができるものであって、使用者は仰向けに寝ころんだまま、左右両肩のマッサージを受けることができる。
図２（非使用時の斜視図）及び図３（使用時の斜視図）に示すように、このマッサージ装置１は、左右一対のブラケット部材２が複数本のシャフト３で連結されることによって箱組みされて成る装置フレーム４を有している。この装置フレーム４には、左肩用揉み手段１０と、右肩用揉み手段１１と、マッサージ機構１２と、載置台１３とが設けられている。左肩用揉み手段１０及び右肩用揉み手段１１は、非使用時の待機姿勢と使用時の使用姿勢との間で姿勢変換をしたり、使用時には使用者の肩を挟み込んでマッサージ（揉み動作）をしたりする可動部分であり、従ってこれらの動きを許容するため、樹脂シートやゴムシート、スポンジ、布帛、皮革、合成皮革等の伸縮性や可撓性の豊富なカバー１５が被せられている。またこれら左肩用揉み手段１０及び右肩用揉み手段１１を除く装置フレーム４には、樹脂や金属等により形成されたケーシング１６で覆われる。このケーシング１６に代えて、上記したカバー１５で装置全体を覆うようにしてもよい。なお、図１乃至図３以外ではこれらカバー１５やケーシング１６の図示は省略した。
【００１２】
図１０乃至図１２に示すように、左肩用揉み手段１０は、左肩を挟み込む前後一対の揉み手（前部揉み手２０、後部揉み手２１）を有している。このうち後部揉み手２１は、後アーム２３とこの後アーム２３の先端部に設けられた後部押圧体２４とを有している。またこの後部揉み手２１には後部押圧体２４の後側にバックアップ材２５が設けられている。後アーム２３は、樹脂又は金属により前後方向へ板バネ作用を有する板形状に形成されており、後部押圧体２４に後向きの荷重が負荷されたときにはこれに抗する弾発力を生起する。後部押圧体２４は、樹脂やゴム等の弾性材又は樹脂、金属、木材等の非弾性材により前面側を球面とする半球形状に突出して形成されており、肩をその後側（背側）から指圧するのに用いられる。
【００１３】
バックアップ材２５は、樹脂又は金属により前後方向へ板バネ作用を有する板形状に形成されており、後部揉み手２１とは若干離れて並設されている。従って、後部揉み手２１が荷重を受けて所定の沈み込みを生じると、この後部揉み手２１がバックアップ材２５に当接し、更に後部揉み手２１が沈み込むときにはバックアップ材２５がこれと一緒に後方へ反るようになる。このときバックアップ材２５には後部揉み手２１を前部揉み手２０へ向けて押し返すような弾発力が生起し、この後部揉み手２１が沈み込みを復元させようとする付勢力を加勢することになる。これにより、後部揉み手２１による肩への指圧感や揉み心地には、段階的な補充乃至強度アップが図られることになる。これら後部揉み手２１とバックアップ材２５との根本部は、後述する後側の傾斜ボス３０に対して一体的に結合されている。
【００１４】
前部揉み手２０は、前アーム２７とこの前アーム２７の先端部に設けられた前部押圧体２８とこれら前アーム２７と前部押圧体２８との間に設けられた弾性ネック部２９とを有している。弾性ネック部２９は樹脂やゴム、或いはコイルバネ等の弾性材によって形成されており、前部押圧体２８に対してその外周のどの方向から負荷が加えられた場合にもこの負荷に抗してやや強めの弾発力を生起させるようになっている。前部押圧体２８は、球体形状に形成されており、肩だけでなく肩から首筋へわたる当接が、いずれも滑らかな球面により違和感なく行えるようになっている。この前部揉み手２０の根本部は、後述する前側の傾斜ボス３０に対して一体的に結合されている。
【００１５】
右肩用揉み手段１１は、基本的には上記した左肩用揉み手段１０と同じ構成であり、この左肩用揉み手段１０との違いは右肩を挟み込みの対象としていることだけである。すなわち、この右肩用揉み手段１１は、前後一対の揉み手（前部揉み手２０、後部揉み手２１）を有しており、後部揉み手２１は後アーム２３と後部押圧体２４とを有し、またバックアップ材２５が設けられたものであり、前部揉み手２０は前アーム２７と前部押圧体２８と弾性ネック部２９とを有している。そして、後部揉み手２１とバックアップ材２５とは、後述する後側の傾斜ボス３０に対して一体的に結合され、前部揉み手２０は、後述する前側の傾斜ボス３０に対して一体的に結合されている。
【００１６】
マッサージ機構１２は、左肩用揉み手段１０に対し前後の揉み手２０，２１に前後への近接離反を繰り返させる左肩駆動部３５と、右肩用揉み手段１１に対し前後の揉み手２０，２１に前後への近接離反を繰り返させる右肩駆動部３６とを有している。またこのマッサージ機構１２は、これら左右の肩駆動部３５，３６に回転駆動力を伝えるモータ３７を有している。このマッサージ機構１２には更に、左右の揉み手段１０，１１相互間において前部揉み手２０同士や後部揉み手２１同士の幅方向間隔を可変にする幅調節手段４０が設けられている。またこのマッサージ機構１２は上記した装置フレーム４内において揺動自在に保持されており、この揺動構造により、左右の揉み手段１０，１１に非使用時の待機姿勢と使用時の使用姿勢との姿勢変更を行わせる姿勢変換機構４１が構成されている。
【００１７】
なお、上記モータ３７は左肩駆動部３５と右肩駆動部３６とに各別に設けることもできるが、本実施形態では一台だけとして左右の駆動部３５，３６に共用させるものとした。そのためこのマッサージ機構１２では、モータ３７を中央に挟むようにしてその左側に左肩駆動部３５を、また右側に右肩駆動部３６を連結すると共に、これら三者の左右両側に一対の側板４２を設けて全体が一体化したユニットとしてある。モータ３７の軸心は左右方向に向けられている。またモータ３７は、正転及び逆転の切り替えやスピード調整などが可能なものとしておくのが好適である。
【００１８】
左肩駆動部３５はモータ３７にギヤボックス４４を介して設けられたものであって、このギヤボックス４４にはモータ３７の軸心に直交する方向（マッサージ機構１２が非使用時であれば前後方向になり使用時であれば上下方向になる）へ軸心を向けて両外方へ突出する駆動軸４５が設けられている。この駆動軸４５にはモータ３７による回転駆動が向きを変え且つ減速して伝動される。
左肩駆動部３５は、この駆動軸４５と、この駆動軸４５の両端部に設けられた一対の回転体４６４６と、これら各回転体４６に外嵌状に設けられた一対の傾斜ボス３０とを有している。上記したように、これら傾斜ボス３０にはそれぞれ、左肩用揉み手段１０の前部揉み手２０（前アーム２７）や後部揉み手２１（後アーム２３）が連結されている。すなわち、駆動軸４５の両端部に一対の回転体４６が設けられる相互間隔により、前部揉み手２０と後部揉み手２１との前後間隔が設定されている。傾斜ボス３０にはまた、前部揉み手２０や後部揉み手２１が設けられる向きとは反対向きに回り止め突起４７が設けられ、この回り止め突起４７が、回り止め部材４８に保持される構造となっている。
【００１９】
回転体４６は駆動軸４５の各端部に対して一体回転可能に設けられている。傾斜ボス３０は、この回転体４６に対しそのまわりで駆動軸４５の軸心に傾斜した状態で相対回転自在に設けられている。前部揉み手２０や後部揉み手２１は、このように軸心が傾斜した傾斜ボス３０に対し、その径方向に沿って張り出すように連結されている（当然に駆動軸４５の径方向から傾斜している）。このとき、前部揉み手２０と後部揉み手２１との傾斜方向が相対逆向きとなる（「ハ」字状又は「逆ハ」字状になる）ように、駆動軸４５に対する両側の回転体４６の取付角度が関係付けられている。回り止め突起４７が傾斜ボス３０から突出する方向は、前部揉み手２０や後部揉み手２１とは反対向きであるから、この回り止め突起４７自体も、駆動軸４５の径方向から傾斜している。
【００２０】
回り止め部材４８は、回り止め突起４７を嵌め入れる摺動溝５３を有したものである。この摺動溝５３は駆動軸４５に沿った方向に長孔になっており、回り止め部材４８を駆動軸４５に沿って所定ストロークで往復動させるよう案内する。この回り止め部材４８は、軸心を駆動軸４５と平行させた枢軸５４を介して前部枢支台５５や後部枢支台５６に揺動自在に保持されている。そのため、回り止め突起４７が摺動溝５３に交差する方向で若干の振れ動きを生じても、これを吸収して追従できるようになっている。
右肩駆動部３６は、基本的には上記した左肩駆動部３５と同じ構成であり、この左肩駆動部３５との違いは一対の傾斜ボス３０に右肩用揉み手段１１の前部揉み手２０や後部揉み手２１が連結されていることだけである。すなわち、この右肩駆動部３６は、モータ３９に右部ギヤボックス４４を介して設けられ、駆動軸４５と、一対の回転体４６と、一対の傾斜ボス３０と、回り止め突起４７と、回り止め部材４８とを有している。また回り止め部材４８は、枢軸５４を介して前部枢支台５５や後部枢支台５６に揺動自在に保持されている。
【００２１】
幅調節手段４０（図６乃至図９参照）は、本実施形態では左右の揉み手段１０，１１相互間において後部揉み手２１同士の幅方向間隔を可変にするものとしてある。具体的な構造としては送りネジ機構６０を採用している。すなわちこの送りネジ機構６０は、マッサージ機構１２としてユニット化するために設けた左右の側板４２の相互間に、モータ３７の軸心に平行させてネジ軸６１を回転自在に架設すると共に、このネジ軸６１の両脇にガイド軸６２を架設し、図１３に示すように、これらネジ軸６１及びガイド軸６２に対し、左肩駆動部３５の後部側回り止め部材４８を保持した後部枢支台５６及び右肩駆動部３６の後部側回り止め部材４８を保持した後部枢支台５６を、それぞれ串刺し状に貫通させてある。
【００２２】
勿論、これら後部枢支台５６においてネジ軸６１が貫通する部分には雌ねじが設けられており、ネジ軸６１とは螺合関係が得られるものとしてある。但し、ネジ軸６１は、左肩駆動部３５の後部枢支台５６が螺合する領域と、右肩駆動部３６の後部枢支台５６が螺合する領域とで、雄ねじが逆ネジの関係（リードの向きが逆）としてある。またネジ軸６１の一端部は側板４２を突き抜けた後も延長され、その先に操作ツマミ６３が設けられている。
従って、操作ツマミ６３を回転操作すると、ネジ軸６１の回転によって左肩駆動部３５の後部枢支台５６と右肩駆動部３６の後部枢支台５６とが左右方向で相互近接移動したり、反対に相互離反移動したりする。
【００２３】
本実施形態の幅調節手段４０では、上記したように後部揉み手２１同士の幅方向間隔だけを可変にしてあり、前部揉み手２０同士の幅方向間隔については不変としてあるので、図１４に示すように、左肩駆動部３５の前部側回り止め部材４８を保持した前部枢支台５５及び右肩駆動部３６の前部側回り止め部材４８を保持した前部枢支台５５は、いずれもマッサージ機構１２のユニット底板６４に固定した。
姿勢変換機構４１（図４及び図５参照）は、装置フレーム４における左右のブラケット部材２と、これら左右のブラケット部材２間でマッサージ機構１２を横軸回りに揺動自在に支持する揺動軸６５とを有している。揺動軸６５は、上記したようにユニット化されたマッサージ機構１２において、その左右を囲んでいる側板４２から、左右方向の両外方へ向けて互いに同軸となるように突設されている。
【００２４】
一方の側板４２では、上記したように幅調節手段４０のネジ軸６１が突き抜けた後も、操作ツマミ６３を取り付けるために更に延長されている。そのため、この側板４２と近接対向する方のブラケット部材２には、このネジ軸６１の延長部分を貫通させるための円弧状長孔６６が形成されている。この長孔６６は、マッサージ機構１２が揺動軸６５を中心として揺動するときにネジ軸６１の延長部分が円弧移動するのを許容できるように円弧カーブになっている。またこの長孔６６の配置及び円弧長さは、マッサージ機構１２が揺動する範囲として、左右の揉み手段１０，１１における前後の揉み手２０，２１が上向きになる姿勢（図２参照）と、後部揉み手２１を下にし前部揉み手２０を上にして横向きになる姿勢（図３参照）との二姿勢間での姿勢変更を制限できるように合わせてある。
【００２５】
このようなことから、ネジ軸６１において、側板４２を突き抜けて延長され長孔６６内を通過している部分は、姿勢変換機構４１の揺動制限片６７として作用することになる。従って、左右の揉み手段１０，１１における前後の揉み手２０，２１が上向きであるとき、使用者が仰向けに寝ころぶ仕草によって肩を前後の揉み手２０，２１間に挟み入れることが容易となり、従ってこのときの上向き姿勢が非使用時の待機姿勢に当たる。これに対し、左右の揉み手段１０，１１における前後の揉み手２０，２１が横向きであるとき、寝ころんだ使用者の肩をそのまま前後の揉み手２０，２１で揉むことができるので、このときの横向き姿勢が使用時の使用姿勢に当たる。このような姿勢変換機構４１により、マッサージ機構１２の揺動範囲は、長孔６６の円弧長さとして物理的に当て止め規制される。
【００２６】
なお、この姿勢変換機構４１では、左右の揉み手段１０，１１が上向きになって非使用時の待機姿勢となるのを確実に保持できるように、揺動軸６５に対するマッサージ機構１２のぶら下がりバランスを設定しておくか又はマッサージ機構１２と装置フレーム４の適所との間をバネなどで付勢しておくのが好適である。ただ、操作ツマミ６３は、これを回転操作することで上記した幅調節手段４０を操作できるだけでなく、これを長孔６６に沿って円弧移動させることで姿勢変換機構４１を強制的に操作するためのツマミとして活用できるので、上記のバランス設定又はバネ付勢は必ずしも必要ではない。
【００２７】
載置台１３は、装置フレーム４における左右のブラケット部材２間に架設されたシャフト３のうち適当なものを利用して固定され、左右の揉み手段１０，１１の相互間にて、マッサージ機構１２のモータ３７上を覆うように設けられている。図１に示したように、この載置台１３は、仰向けに寝ころんだ使用者の頭部を支持可能になっている。なお、この載置台１３には、やや厚みを持ったクッション材を被せておくのが好適である。
このような構成のマッサージ装置１は、非使用時には左右の揉み手段１０，１１が上向きになって待機姿勢を保持するようになっている。そこで左肩用揉み手段１０の後部揉み手２１上へ左肩を当接させ、また同時に右肩用揉み手段１１の後部揉み手２１上へ右肩を当接させることをめがけて、使用者が仰向けに寝ころぶ。そして載置台１３上へ静かに頭部を預け置くようにする。
【００２８】
これにより、左右の揉み手段１０，１１は姿勢変換機構４１の動きで後部揉み手２１を下にし前部揉み手２０を上にして横向きになる使用姿勢になり、これと同時に、使用者の左肩が左肩用揉み手段１０における前後一対の揉み手２０，２１相互間に嵌め入れられると共に、右肩が右肩用揉み手段１１における前後一対の揉み手２０，２１相互間に嵌め入れられ、身体にフィットする。また載置台１３があることで、使用者は頭部を楽な姿勢で、且つ安定して保持させることができる。
このとき、使用者の肩幅の違いや、揉み位置の好みなどにおいて、肩後部（背側）に対する後部揉み手２１の当接位置が悪いときには、使用者が幅調節手段４０の操作ツマミ６３を所望するだけ回転操作して後部揉み手２１の当接位置を調節する。そして、マッサージ機構１２のモータ３７を回転させるための適宜スイッチ操作を行う。このとき、モータ３７の回転方向や回転速度などを使用者の好みに応じて適宜選択すればよい。
【００２９】
マッサージ機構１２のモータ３７が回転をはじめると、左肩駆動部３５では駆動軸４５の回転と共に両側の回転体４６が一体回転し、これによって両側の傾斜ボス３０にも回転力が付与される。しかし、傾斜ボス３０は回り止め突起４７が回り止め部材４８の摺動溝５３内に嵌め入れられていることから実際には回転ではなく、摺動溝５３内を回り止め部材４８が往復動することになる。また、回り止め部材４８は枢軸５４を介して前部枢支台５５や後部枢支台５６に揺動自在に保持されているので、回り止め突起４７が摺動溝５３と交差する方向で振れ動くことが許容され、結果、前後一対の揉み手２０，２１は近接離反と振れ動きとを合成したうねり動作を繰り返すようになる。これらのことは、右肩駆動部３６でも同様に起こる。
【００３０】
従って、使用者は、左右の肩をそれぞれ前後から挟みつけた状態で揉まれるといったマッサージを受けることになる。
本発明は、上記実施形態に限定されるものではなく、実施の状況に応じて適宜変更可能である。
【図面の簡単な説明】
【００３１】
【図１】本発明に係るマッサージ装置の一実施形態についてその使用状況を示した側面図である。
【図２】マッサージ装置の非使用時を示した斜視図である。
【図３】マッサージ装置の使用時を示した斜視図である。
【図４】図２に対応する右側面図である。
【図５】図３に対応する右側面図である。
【図６】図２に対応する正面図である。
【図７】図６に対応する底面図である。
【図８】図６の状態から幅調節手段を操作した状況を示した正面図である。
【図９】図８に対応する底面図である。
【図１０】マッサージ機構を抽出して示した斜視図である。
【図１１】図１０に対応する正面図である。
【図１２】図１１に対応する右側面図である。
【図１３】後部側の回り止め部材を示す拡大斜視図である。
【図１４】前部側の回り止め部材を示す拡大斜視図である。
【符号の説明】
【００３２】
１  マッサージ装置
１０  左肩用揉み手段
１１  右肩用揉み手段
１２  マッサージ機構
１３  載置台
２０  前部揉み手
２１  後部揉み手
２４  後部押圧体
２５  バックアップ材
２８  前部押圧体
２９  弾性ネック部
３０  傾斜ボス
３５  左肩駆動部
３６  右肩駆動部
３７  モータ
４０  幅調節手段
４１  姿勢変換機構
４５  駆動軸
４６  回転体
４７  回り止め突起
４８  回り止め部材
５３  摺動溝
６０  送りネジ機構
６１  ネジ軸
６３  操作ツマミ
６５  揺動軸
６６  円弧状長孔
６７  揺動制限片
【図１】
2005046541.tif 000003
【図２】
2005046541.tif 000004
【図３】
2005046541.tif 000005
【図４】
2005046541.tif 000006
【図５】
2005046541.tif 000007
【図６】
2005046541.tif 000008
【図７】
2005046541.tif 000009
【図８】
2005046541.tif 000010
【図９】
2005046541.tif 000011
【図１０】
2005046541.tif 000012
【図１１】
2005046541.tif 000013
【図１２】
2005046541.tif 000014
【図１３】
2005046541.tif 000015
【図１４】
2005046541.tif 000016